(57)【特許請求の範囲】
【請求項１】
第１の読取り装置と第２の読取り装置を備えたＧＳＭ方式の移動無線端末機であって、前記第２の読取り装置は、通話サービスの利用に使用しうる残高が記憶されたプリペイド式チップカードの受容及び処理に適する構成であり、前記チップカードが、前記移動通話サービスへの支払い手段となっている端末機において、前記第２の読取り装置は、ＩＤ−１フォーマットのＳＩＭカードの読取りも行うように構成されており、以下のごとく、
−前記第１の読取り装置に前記ＳＩＭカードがロードされており、かつ、前記第２の読取り装置ＩＤ−１にはカードが挿入されていない場合には、ＧＳＭ方式の前記端末機は、前記第１の読取り装置の前記ＳＩＭカードに対する処理を行い、
−前記第１の読取り装置にＳＩＭカードがロードされており、かつ、前記第２の読取り装置ＩＤ−１に第２のＳＩＭカードがロードされている場合には、前記ＧＳＭ方式端末機は、前記第２の読取り装置ＩＤ−１のＳＩＭカードのみを処理し、
−前記第１の読取り装置にはＳＩＭカードがロードされておらず、かつ、前記第２の読取り装置にのみカードがロードされている場合には、前記ＧＳＭ方式端末機は、前記第２の読取り装置ＩＤ−１のＳＩＭカードを処理し、
−前記第１の読取り装置にはＳＩＭカードがロードされており、かつ、前記第２の読取り装置にはプリペイドカードがロードされている場合には、前記ＧＳＭ方式端末機は、前記第１の読取り装置のＳＩＭカードに対する処理を行い、支払いは、前記第２の読取り装置に挿入された前記プリペイドカードによって行うように前記２つの読取り装置を作動させるように構成されていることを特徴とする、移動無線端末機。
【発明の詳細な説明】
技術分野
本発明はチップカードの付加的読取り装置を備えた移動無線端末機に関する。特に、本発明は、プリペイド式チップカードの読取り装置を備えた移動無線端末機に関する。この読取り装置は、ＴＡＣＳ（Total Access Communication System:トータル・アクセス・コミュニケーション・システム）方式による端末機、及び、ＧＳＭ（Global System for mobile communication:モバイル通信用グローバル・システム）方式による端末機の双方において稼働するものである。
背景技術
現在、移動電話通信のＴＡＣＳサービス及びＧＳＭサービスによるプリペイド式チップカードの提供は、前記２つのサービスがともに広範囲にわたって普及しているにもかかわらず、行われていない。一方、ユーザーが常に残高と利用額をチェックできるという点において、公衆電話の使用において電話通信用のプリペイドカードが有用であることはよく知られている。
発明の開示
本発明の目的は、チップカードの付加的読取り装置を備えた移動無線端末機を実現することにある。ここに、上記読取り装置は、上記端末機の機能向上を可能とし、移動無線サービスへの支払いに当たってプリペイドカードを利用できるようにするものである。
本発明の別の目的は、チップカードの付加的な読取り装置を備える移動無線端末機であって、上記付加的読取り装置により、上記通信サービスの管理者から提供されたプリペイド式チップカードが利用可能となり、かつ、当該付加的読取り装置において様々な処理操作（確認、抹消、カード変更等）を行い得るような移動無線端末機を提供することにある。
本発明のさらに別の目的は、移動電話の分野において現在採用されている構築技術（construction technologies）と完全に適合し、かつ、端末機のユーザーが扱い易い、チップカードの付加的な読取り装置を備えた移動無線端末機を実現することにある。
発明を実行するための最良の形態
上述の目的、および、以下の説明において明らかとなる他の目的は、チップカードの付加的な読取り装置を備えた移動無線端末機により達成される。ここに、付加的読取り装置（ＧＳＭ方式の端末機における標準フォーマットに対応する第２の読取り装置）は、プリペイド式チップカードを処理する機能を有している。このプリペイド式チップカードは、電話通信サービスを利用しうる残高を記憶しており、上記移動通信サービスに対する支払い手段を具現するものである。プリペイド式チップカードの前記付加的読取り装置は、ＩＳＯ７８１６−２標準及びＩＤ１フォーマットに従い、６つのコンタクト及び８つのコンタクトによるカードの読み取りを行うことができる。
ネットワーク標準と適合する前記移動無線端末は、当該ネットワークの全ての機能を備えている。さらに、前記移動無線端末は、チップカードの処理に関する機能も具備している。ＧＳＭ方式の端末機において、前記付加的読取り装置は、ＩＤ−１フォーマットを有する移動通信用識別カード（ＳＩＭ＝Subscriber Identity Module:加入者識別モジュール）の読み取りができるようにしておく必要がある。この場合、２つのチップカード読取り装置を含む端末機の可能な作動態様は以下のとおりである。なお、以下においては、端末機がもともと備えている読取り装置を第１の読取り装置とよび、前記付加的読取り装置を第２の読取り装置とよんで両者を区別する。
−上記ＳＩＭカードが第１の読取り装置に挿入されており、かつ、第２の読取り装置ＩＤ−１にはカードが挿入（ロード）されていない場合には、ＧＳＭ方式の上記端末機は、第１の読取り装置のＳＩＭカードの処理を行う。
−２つのＳＩＭカードがロードされているとき、即ち、前記第１の読取り装置及び第２の読取り装置のそれぞれにＳＩＭカードがロードされているときには、前記ＧＳＭ方式端末機は、前記第２の読取り装置ＩＤ−１のＳＩＭカードのみを処理する。
−カードが前記第１の読取り装置にはロードされておらず、前記第２の読取り装置ＩＤ−１のみにロードされているときには、前記ＧＳＭ方式端末機は、前記第２の読取り装置ＩＤ−１のＳＩＭカードを処理する。
−前記第１の読取り装置にカードがロードされており、前記プリペイドカードが前記第２の読取り装置にロードされているときには、前記ＧＳＭ方式端末機は、前記第１の読取り装置のＳＩＭカードを処理する。支払いは、前記第２の読取り装置に挿入された前記プリペイドカードにより行われる。
前記端末機の第２の読取り装置は、以下の機能をも奏する。
−前記第２の読取り装置は、自動的に且つ容易に（端末機の機械部品を取り外すことなく）チップカードの挿入及び排出を行える。
−前記第２の読取り装置は、チップカードの残高が無くなり、カードの交換が必要とされる場合を除き、通話中には当該カードが動かないようにしている。
−前記第２の読取り装置は、前記カードに対する外部接続を検知し、それらの処理操作を停止させる。
第２の読取り装置を備えた前記端末機は、以下の操作状況において、プリペイドカードの残高を表示する。
−前記端末機を待機状態とし、（第２の読取り装置を備えた端末機から発せられる）有料通話中にユーザーがキーボードを操作することによって残高に関する情報が得られる。
前記端末機の第２の読取り装置は、（通常の標準的なネットワーク操作に加えて）以下の処理操作を行うこともできる。
−チップカードの確認
−通話中におけるチップカードの残高単位の減算作業
−残高０のチップカードの交換
産業上の利用可能性
以上において本発明の実施態様を具体的に説明した。しかしながらこれらは限定的な意味に解釈されるべきではなく、請求項１に記載した基本原理に基づき様々な改変を加えることにより、プリペイド式チップカードの第２の読取り装置を設けることが可能である。これにより、当該第２の読取り装置を備える端末機の機能性を最適化することができる。
直接的な応用分野の一例は、フェリーボート上の公衆電話ネットワークに関するものである。この場合、端末機は、中央管理システムを有するネットワークに含まれており、ユーザーの識別を行うＳＩＭカードを挿入した後に作動する。また、ネットワークに接続されたこの種の端末機において、プリペイド式チップカードの処理を行うべく２つの読取り装置を備えることにより、当該端末機自体に関するサービスの価値が高められることになる。